(57)【特許請求の範囲】
【請求項１】
音高がそれぞれ割り当てられていて、演奏者によって押離鍵操作されて、後端部に設けられた揺動中心部を中心として揺動可能に支持された複数の白鍵及び黒鍵と、
前記押離鍵操作に対する反力を前記複数の白鍵及び黒鍵にそれぞれ付与する反力付与手段とを備えた電子楽器の鍵盤装置において、
前記複数の白鍵及び黒鍵は、前記揺動中心部よりも演奏者に近い位置に、前記反力付与手段に係合する駆動部をそれぞれ有し、
前記複数の白鍵及び黒鍵のうち、所定の第１音域に属する白鍵及び黒鍵の揺動中心部を、前記第１音域よりも低音側にある第２音域に属する白鍵及び黒鍵の揺動中心部よりも演奏者に近い位置に設けて、前記第１音域に属する白鍵を前記第２音域に属する白鍵よりも短くし、かつ前記第１音域に属する黒鍵を前記第２音域に属する黒鍵よりも短くして、前記揺動中心部から前記駆動部までの距離を前記第１音域と前記第２音域とで異ならせ、
低音の鍵から高音の鍵へ向かうに従って、その音高の順に、各鍵の前端部に付与される反力が徐々に小さくなるように、前記複数の白鍵及び黒鍵の駆動部に付与される反力を設定したことを特徴とする電子楽器の鍵盤装置。
【請求項２】
請求項１に記載の電子楽器の鍵盤装置において、
前記複数の白鍵及び黒鍵のうち、前記第１音域及び前記第２音域のうちの少なくとも一方の音域における複数の鍵であって、音高が連続する複数の鍵の揺動中心部の中心軸を共通としたことを特徴とする電子楽器の鍵盤装置。
【請求項３】
請求項１又は２に記載の電子楽器の鍵盤装置において、
前記複数の白鍵及び黒鍵のうち、前記第２音域よりも低音側にある第３音域に属する白鍵及び黒鍵の揺動中心部を、前記第２音域に属する白鍵及び黒鍵の揺動中心部よりも演奏者から遠い位置に設けて、前記第３音域に属する白鍵を前記第２音域に属する白鍵よりも長くし、かつ前記第３音域に属する黒鍵を前記第２音域に属する黒鍵よりも長くして、前記揺動中心部から前記駆動部までの距離を前記第２音域と前記第３音域とで異ならせたことを特徴とする電子楽器の鍵盤装置。
【請求項４】
請求項１又は２に記載の電子楽器の鍵盤装置において、
前記複数の白鍵及び黒鍵のうち、前記第２音域よりも低音側にある第３音域に属する白鍵及び黒鍵の揺動中心部を、前記第２音域に属する白鍵及び黒鍵の揺動中心部よりも演奏者に近い位置に設けて、前記第３音域に属する白鍵を前記第２音域に属する白鍵よりも短くし、かつ前記第３音域に属する黒鍵を前記第２音域に属する黒鍵よりも短くして、前記揺動中心部から前記駆動部までの距離を前記第２音域と前記第３音域とで異ならせたことを特徴とする電子楽器の鍵盤装置。
【発明の詳細な説明】
【技術分野】
【０００１】
本発明は、電子オルガン、電子ピアノなどの電子楽器の鍵盤装置に関する。
【背景技術】
【０００２】
従来から、例えば、下記特許文献１に示されているように、アコースティックピアノの鍵タッチ感（押離鍵操作に対する反力）を模擬するために、割り当てられた音高が高い鍵ほど、鍵の前端の鍵タッチ感を軽くした電子楽器の鍵盤装置は知られている。この鍵盤装置においては、鍵にそれぞれ係合して揺動し、それぞれの鍵の押離鍵操作に対する反力を付与する複数のハンマーを備えている。そして、低音部の鍵から高音部の鍵に向かうに従って、後端部に設けられた鍵の支点から鍵の前端までの長さを徐々に長くしている。また、鍵の支点から、ハンマーと鍵との係合位置までの距離を全ての鍵について同一にしている。
【先行技術文献】
【特許文献】
【０００３】
【特許文献１】特許３０７４７９４号公報
【発明の概要】
【０００４】
しかし、上記従来の鍵盤装置においては、高音部の鍵よりも低音部の鍵が短いので、てこの原理によって生じる、鍵の長手方向における押離鍵操作位置の違いによる鍵タッチ感の違いは、高音部の鍵に比べて低音部の鍵の方が大きい。すなわち、低音部の鍵において、鍵の前端部の鍵タッチ感に比べて、鍵の中間部より後方の鍵タッチ感が非常に重く、演奏し難くなっていた。
【０００５】
なお、演奏者が鍵を押鍵したときに感じる反力（荷重）は、鍵、ハンマーなどからなる揺動系に加わる力のバランスに応じた静荷重と、前記揺動系の慣性モーメントの大きさに応じた動荷重とが複合されたものである。上記の揺動系に加わる力のバランスとは、前記揺動系の揺動中心よりも演奏者に近い側の部分の重さと、前記揺動中心よりも演奏者から遠い側の部分の重さのバランス（すなわち、てこ比）を意味する。静荷重は、鍵をゆっくりと押鍵したときに主に感じる荷重であり、動荷重は、鍵を強く押鍵したときに主に感じる荷重である。ここで、アコースティックピアノの鍵盤装置においては、静荷重は、全ての鍵についてほぼ同一であり、動荷重は、低音側の鍵から高音側の鍵へ向かうに従って徐々に軽くなっている。したがって、アコースティックピアノにおいては、鍵をゆっくりと押鍵したときには、前記鍵に割り当てられた音高によらず、前記反力は一定である。
【０００６】
一方、電子楽器の鍵盤装置においては、装置を小型化するために、アコースティックピアノの鍵盤装置が備える機構のうちの一部の機構を省略している。例えば、鍵の動作をハンマーに伝えるジャックを、ハンマーの動作中に素早く離鍵状態の位置に復帰させることにより、高速な連続打鍵を可能にするレペティション機構を省略している。したがって、電子楽器の鍵盤装置においては、高速な連続打鍵を可能にするため（すなわち、鍵を離鍵状態へ早く復帰させるため）に、ハンマーの慣性モーメントをあまり大きくできないので、動荷重をあまり大きくできない。すなわち、低音側の鍵の動荷重と高音側の鍵の動荷重との差が小さい。そこで、低音側の鍵の静荷重を高音側の鍵の静荷重よりも大きくしている。これにより、鍵タッチ感を、全体として、アコースティックピアノの鍵盤装置の鍵タッチ感に近似させるようにしている。すなわち、電子楽器の鍵盤装置の動荷重の特性は、アコースティックピアノの鍵盤装置の動荷重の特性とは異なっている。そこで、電子楽器の鍵盤装置においては、静荷重の特性をアコースティックピアノの鍵盤装置の静荷重の特性とは若干異ならせることにより、演奏者が感じる荷重全体として、アコースティックピアノの鍵盤装置の荷重と同等になるようにしている。ただし、上記のように、電子楽器の鍵盤装置においては、低音側の鍵の静荷重を高音側の鍵の静荷重よりも大きくしているので、鍵をゆっくりと押鍵したときには、前記鍵に割り当てられた音高が高いほど、前記反力は小さい。また、電子楽器の鍵盤装置においては、低音側の鍵の動荷重を高音側の鍵の動荷重よりも大きくしているので、鍵を強く押鍵したときには、前記鍵に割り当てられた音高が高いほど、前記反力は小さい。すなわち、電子楽器の鍵盤装置においては、奏法によらず、割り当てられた音高が高い鍵ほど、前記反力が小さい。
【０００７】
本発明は上記問題を解決するためになされたものであり、その目的は、鍵の長手方向における押離鍵操作位置の違いによる鍵タッチ感の違いを小さくするとともに、電子楽器において鍵盤装置が占有するスペースをできるだけ小さくすることにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００８】
前記目的を達成するため、本発明の特徴は、音高がそれぞれ割り当てられていて、演奏者によって押離鍵操作されて、後端部に設けられた揺動中心部（Ｋｗ，Ｋｂ）を中心として揺動可能に支持された複数の白鍵（１１ｗ）及び黒鍵（１１ｂ）と、押離鍵操作に対する反力を複数の白鍵及び黒鍵にそれぞれ付与する反力付与手段（１６ｗ，１６ｂ）とを備えた電子楽器の鍵盤装置において、複数の白鍵及び黒鍵は、前記揺動中心部よりも演奏者に近い位置に、前記反力付与手段に係合する駆動部をそれぞれ有し、複数の白鍵及び黒鍵のうち、所定の第１音域（Ｈ）に属する白鍵及び黒鍵の揺動中心部を、第１音域よりも低音側にある第２音域（Ｍ）に属する白鍵及び黒鍵の揺動中心部よりも演奏者に近い位置に設けて、第１音域に属する白鍵の長さを第２音域に属する白鍵よりも短くし、かつ第１音域に属する黒鍵を第２音域に属する黒鍵よりも短くして、前記揺動中心部から前記駆動部までの距離を前記第１音域と前記第２音域とで異ならせ、  低音の鍵から高音の鍵へ向かうに従って、その音高の順に、各鍵の前端部に付与される反力が徐々に小さくなるように、前記複数の白鍵及び黒鍵の駆動部に付与される反力を設定したことにある。この場合、複数の白鍵及び黒鍵のうち、第１音域及び第２音域のうちの少なくとも一方の音域における複数の鍵であって、音高が連続する複数の鍵の揺動中心部の中心軸を共通とするとよい。なお、本発明において、鍵の後端部とは、鍵の長手方向中央より後方の部分である。また、本発明において反力付与手段によって鍵に付与される反力とは、上記の静荷重及び動荷重を意味する。
【０００９】
上記のように構成した鍵盤装置によれば、第２音域に属する鍵は、第１音域に属する鍵に比べて長い。したがって、第１音域においては、鍵の長手方向の押離鍵操作位置の違いによる鍵タッチ感の違いが比較的大きいが、第２音域においては、鍵の長手方向の押離鍵操作位置の違いによる鍵タッチ感の違いが小さい。反力付与手段によって鍵の前端部に付与される反力は、第１音域に比べて第２音域の方が大きいが、上記のように、第２音域に属する鍵の長手方向の押離鍵操作位置の違いによる鍵タッチ感の違いを小さくしたので、鍵の前端よりやや鍵の支点側にある位置を押離鍵操作したときの鍵タッチ感が重すぎて演奏し難くなることを防止できる。一方、第１音域に属する鍵の鍵タッチ感は、長手方向の押離鍵操作位置によって大きく変化するが、第１音域においては、反力付与手段によって鍵の前端部に付与される反力が第２音域に比べて小さいので、鍵の長手方向の鍵タッチ感の違いが多少大きくても演奏上問題がない。したがって、第１音域の後方にスペースを設けることができる。すなわち、電子楽器において鍵盤装置が占有する領域を小さくすることができる。そして、前記スペースに電子楽器を構成する他の部品（電源トランス、スピーカーなど）を配置することができ、電子楽器の本体内部の限られた空間を効率的に利用できる。
【００１０】
また、本発明の他の特徴は、複数の白鍵及び黒鍵のうち、第２音域よりも低音側にある第３音域（Ｌ）に属する白鍵及び黒鍵の揺動中心部を、第２音域に属する白鍵及び黒鍵の揺動中心部よりも演奏者から遠い位置に設けて、第３音域に属する白鍵を第２音域に属する白鍵よりも長くし、かつ第３音域に属する黒鍵を第２音域に属する黒鍵よりも長くして、前記揺動中心から前記駆動部までの距離を前記第２音域と前記第３音域とで異ならせたことにある。
【００１１】
上記のように構成した鍵盤装置によれば、第２音域よりも低音側にある第３音域に属する鍵は、第２音域に属する鍵よりも長いので、第３音域における鍵の長手方向の鍵タッチ感の違いを、第２音域における鍵の長手方向の鍵タッチ感の違いより小さくでき、演奏し易くすることができる。また、第２音域の後方にもスペースを設けることができるので、電子楽器の本体内部の限られた空間をより効率的に利用できる。
【００１２】
また、本発明の他の特徴は、複数の白鍵及び黒鍵のうち、第２音域よりも低音側にある第３音域（Ｌ）に属する白鍵及び黒鍵の揺動中心部を第２音域に属する白鍵及び黒鍵の揺動中心部よりも演奏者に近い位置に設けて、第３音域に属する白鍵を第２音域に属する白鍵よりも短くし、かつ第３音域に属する黒鍵を第２音域に属する黒鍵よりも短くして、前記揺動中心から前記駆動部までの距離を前記第２音域と前記第３音域とで異ならせたことにある。
【００１３】
上記のように構成した鍵盤装置によれば、第２音域よりも低音側にある第３音域に属する鍵は、第２音域に属する鍵よりも短いので、第３音域における鍵の長手方向の鍵タッチ感の違いは、第２音域における鍵の長手方向の鍵タッチ感の違いよりも大きい。一般的に、中音域（すなわち、第２音域）に属する鍵が多用されるので、第２音域における鍵の長手方向の鍵タッチの違いを第１音域及び第３音域に比べて小さくすることにより、アコースティックピアノの鍵タッチ感の特性とは若干異なる特性を有するが、実質上、演奏し易い鍵盤装置を構成できる。また、第１音域及び第３音域の後方にスペースを設けることができるので、電子楽器の本体内部の限られた空間をより効率的に利用できる。特に、電子楽器の他の部品を左右対称に配置する場合に有利である。
【図面の簡単な説明】
【００１４】
【図１】本発明の第１実施形態に係る鍵盤装置の平面図である。
【図２】図１の鍵盤装置の白鍵に関する構成を示す右側面図である。
【図３】図１の鍵盤装置の黒鍵に関する構成を示す右側面図である。
【図４】音高と質量体の質量との関係を示す特性曲線図である。
【図５】音高と鍵タッチとの関係を示す特性曲線図である。
【図６】本発明の第２実施形態に係る鍵盤装置の平面図である。
【図７】本発明の変形例に係る鍵盤装置の平面図である。
【図８】本発明の他の変形例に係る鍵盤装置の平面図である。
【発明を実施するための形態】
【００１５】
（第１実施形態）
以下、本発明の第１実施形態について図面を用いて説明する。以下の説明では、演奏者に近い側を「前側」とし、演奏者から遠い側を「後側」とする。また、高音部側を「右側」とし、低音部側を「左側」とする。
【００１６】
この鍵盤装置は、図１に示すように、複数の白鍵１１ｗ及び複数の黒鍵１１ｂを有している。白鍵１１ｗ及び黒鍵１１ｂは、それぞれ合成樹脂によって長尺状に一体成型されている。この鍵盤装置の全体の音域（Ａ０〜Ｃ８）は、低音部Ｌ（Ａ０〜Ｂ２）、中音部Ｍ（Ｃ３〜Ｂ５）及び高音部Ｈ（Ｃ６〜Ｃ８）の３つの音域に分割されている。すなわち、中央の鍵１１ｗ（Ｃ４）は、中音部Ｍに属している。低音部Ｌに属する白鍵１１ｗ及び黒鍵１１ｂは、それぞれ中音部Ｍに属する白鍵１１ｗ及び黒鍵１１ｂよりも長い。また、高音部Ｈに属する白鍵１１ｗ及び黒鍵１１ｂは、それぞれ中音部Ｍに属する白鍵１１ｗ及び黒鍵１１ｂよりも短い。また、それぞれの音域において、白鍵１１ｗは黒鍵１１ｂに比べて長い。音域の違いによる白鍵１１ｗ及び黒鍵１１ｂの違いは、前後方向の長さのみであって、他の構成は同様である。したがって、以下、図２及び図３を用いて、高音部Ｈの白鍵１１ｗ及び黒鍵１１ｂの構成を説明して、中音部Ｍ及び低音部Ｌの白鍵１１ｗ及び黒鍵１１ｂについての説明を省略する。白鍵１１ｗは、黒鍵１１ｂに比べて、上下方向の幅が小さく、左右方向の幅が大きい。白鍵１１ｗ及び黒鍵１１ｂは、前後方向に延設された薄肉の上壁及び上壁の左右端からそれぞれ下方へ延設された薄肉の側壁を有し、下方に開放した中空状に形成されている。また、白鍵１１ｗ及び黒鍵１１ｂの側壁の後部には、それぞれ対向する貫通孔Ｋｗ及び貫通孔Ｋｂが設けられている。貫通孔Ｋｗ及び貫通孔Ｋｂから、それぞれの鍵の後端までの距離は、音域によらず全ての鍵について同一である。そして、白鍵１１ｗ及び黒鍵１１ｂは、鍵フレーム１２の鍵支持部１３により支持されている。
【００１７】
鍵フレーム１２は、樹脂成型により一体的に形成されている。鍵フレーム１２は、前後方向及び左右方向に延設された前板１２ａ及び後板１２ｂを有する。上記の鍵支持部１３は、後板１２ｂの上面から上方へ突出するように形成されている。低音部Ｌの鍵支持部１３は、中音部Ｍの鍵支持部１３よりも後方に設けられ、高音部Ｈの鍵支持部１３は、中音部Ｍの鍵支持部１３よりも前方に設けられている。すなわち、鍵フレーム１２の後端は、平面視において、鍵の後端の位置に沿った階段状に形成されている。各音域における鍵支持部１３の前後方向の位置は同一である。各鍵支持部１３は、それぞれ対向する２枚の板状に形成されていて、内側に対向する突出部１３ａを備えている。突出部１３ａは、貫通孔Ｋｗ及び貫通孔Ｋｂに嵌合している。これにより、白鍵１１ｗ及び黒鍵１１ｂは、突出部１３ａ回りに回転可能に支持され、白鍵１１ｗ及び黒鍵１１ｂの前端部が上下方向に揺動可能となっている。前板１２ａ及び後板１２ｂには、上下方向及び前後方向に延設された複数のリブ１２ｄの上端部が一体的に接続されている。リブ１２ｄは、左右方向に薄肉であり、左右方向に所定の間隔をおいて設けられている。また、リブ１２ｄは、前板１２ａの前端よりも前方へ張り出している。この張り出した部分に、後述のレール部１７，１９，２１が設けられる。
【００１８】
また、白鍵１１ｗの中間部から下方へ向かって駆動部１１ｗ１が延設されている。駆動部１１ｗ１は、上下に延設された薄肉の前壁及び前壁の左右端からそれぞれ後方へ延設された薄肉の側壁を有し、後方に開放した中空状に形成されている。駆動部１１ｗ１の下端は下端壁により閉じている。一方、黒鍵１１ｂも白鍵１１ｗと同様の駆動部１１ｂ１を有する。黒鍵１１ｂは、離鍵状態において白鍵１１ｗの上面よりも上方に突出した部分（以下、黒鍵１１ｂの見え掛り部という。）の前端から下方へ延設された後、僅かに前方へ湾曲させられた連結部を有し、この連結部の先端に、駆動部１１ｂ１の上端が接続されている。駆動部１１ｗ１と駆動部１１ｂ１の前後方向の位置は同一であり、駆動部１１ｗ１と駆動部１１ｂ１の下端壁の上下方向の位置も同一である。すなわち、駆動部１１ｗ１及び駆動部１１ｂ１は、黒鍵１１ｂの見え掛り部の前端よりも前方に位置する。前板１２ａの前方に設けられた上下に開口した開口部内にて、駆動部１１ｗ１及び駆動部１１ｂ１の下端部が、ハンマー１６ｗ及びハンマー１６ｂの前端部にそれぞれ係合している。
【００１９】
ハンマー１６ｗは、合成樹脂製の基部１６ｗ１と、金属製の連結棒１６ｗ２及び質量体１６ｗ３とからなる。ハンマー１６ｂは、ハンマー１６ｗと同様に、基部１６ｂ１、連結棒１６ｂ２及び質量体１６ｂ３からなる。基部１６ｗ１及び基部１６ｂ１は、板状の部材であって、右側面から左側面に貫通する貫通孔Ｈｗ及び貫通孔Ｈｂをそれぞれ有する。また、隣り合うリブ１２ｄの下端部を繋ぐようにしてレール部１７が左右方向に延設されている。レール部１７は、前板１２ａ及び後板１２ｂに比べて前後方向の幅が狭い。レール部１７の上面には、上方に突出するようにして、ハンマー支持部１８ｗ及びハンマー支持部１８ｂが形成されている。ハンマー支持部１８ｗ及びハンマー支持部１８ｂは、それぞれ対向する２枚の板状に形成されていて、それぞれ内側に対向する突出部１８ｗ１及び突出部１８ｂ１を備えている。前記突出部１８ｗ１及び突出部１８ｂ１は、貫通孔Ｈｗ及び貫通孔Ｈｂにそれぞれ嵌合している。これにより、基部１６ｗ１及び基部１６ｂ１は、突出部１８ｗ１及び突出部１８ｂ１回りに回転可能に支持されている。すなわち、ハンマー１６ｗ及びハンマー１６ｂは、前端部及び後端部が上下方向に揺動可能に支持されている。ハンマー支持部１８ｗ及びハンマー支持部１８ｂの前後方向の位置は、全てのハンマー１６ｗ及びハンマー１６ｂについて共通である。
【００２０】
また、基部１６ｗ１は、前端部に上下一対の脚部Ｆｗ１及び脚部Ｆｗ２を備え、上側に位置する脚部Ｆｗ１は下側に位置する脚部Ｆｗ２より短く形成されている。基部１６ｂ１も、基部１６ｗ１と同様に、前端部に上下一対の脚部Ｆｂ１及び脚部Ｆｂ２を備えている。脚部Ｆｗ１と脚部Ｆｗ２の間には、駆動部１１ｗ１の下端壁が侵入しており、脚部Ｆｂ１と脚部Ｆｂ２の間には、駆動部１１ｂ１の下端壁が侵入している。脚部Ｆｗ１及び脚部Ｆｂ１は、それぞれ、駆動部１１ｗ１及び駆動部１１ｂ１の下端壁と、駆動部１１ｗ１及び駆動部１１ｂ１内であって、それぞれの下端壁との間に隙間を形成する中間壁との間に侵入している。駆動部１１ｗ１及び駆動部１１ｂ１の下端壁には、ゴム、ウレタン、フエルトなどの衝撃吸収材が嵌め込まれて固着されている。この衝撃吸収材は、駆動部１１ｗ１と脚部Ｆｗ２の上面との衝突、駆動部１１ｂ１の下端と脚部Ｆｂ２の上面との衝突、駆動部１１ｗ１の下端と脚部Ｆｗ１の下面との衝突、及び駆動部１１ｂ１の下端と脚部Ｆｂ１の下面との衝突による衝撃をそれぞれ緩和している。
【００２１】
基部１６ｗ１及び基部１６ｂ１の後端部に、連結棒１６ｗ２及び連結棒１６ｂ２の前端部がそれぞれ組み付けられている。連結棒１６ｗ２及び連結棒１６ｂ２は、それぞれ後方へ延設されている。連結棒１６ｗ２と連結棒１６ｂ２の後端の前後方向の位置は同一である。そして、次に説明する質量体１６ｗ３及び質量体１６ｂ３の後端が白鍵１１ｗ及び黒鍵１１ｂの後端よりも前方に位置するように、連結棒１６ｗ２及び連結棒１６ｂ２の長さが調整されている。
【００２２】
上記のように、音域によって、鍵の支点の位置が異なる。したがって、音域によって、白鍵１１ｗの揺動中心から脚部Ｆｗ２における駆動部１１ｗ１との当接部Ｐｗ１までの距離が異なる。また、音域によって、黒鍵１１ｂの揺動中心から脚部Ｆｂ２における駆動部１１ｂ１との当接部Ｐｂ１までの距離が異なる。さらに、白鍵１１ｗにおいては、押離鍵操作される可能性のある位置の前端である押離鍵操作位置Ｗ０が当接部Ｐｗ１よりも前方に位置するのに対して、黒鍵１１ｂにおいては、押離鍵操作される可能性のある位置の前端である押離鍵操作位置Ｂ０が当接部Ｐｂ１の後方に位置している。したがって、全ての鍵について質量体１６ｗ３及び質量体１６ｂ３の質量が同一であれば、てこの原理によって、押離鍵操作位置Ｗ０，Ｂ０においては、低音部Ｌよりも中音部Ｍの鍵タッチ感が軽く、中音部Ｍよりも高音部Ｈの鍵タッチ感がさらに軽い。ただし、この場合、各音域における白鍵１１ｗと黒鍵１１ｂの鍵タッチ感が統一されない。すなわち、白鍵１１ｗの鍵タッチ感に比べて黒鍵１１ｂの鍵タッチ感の方が重い。そこで、図４に示すように、質量体１６ｗ３及び質量体１６ｂ３の質量を鍵ごとに調整して、図５に一点鎖線で示すように、押離鍵操作位置Ｗ０，Ｂ０における鍵タッチ感を、低音から高音へ向かうに従って徐々に軽くしている。したがって、図５に破線で示すように、押離鍵操作位置Ｗ０，Ｂ０からそれぞれ距離ｄだけ後方に位置する押離鍵操作位置Ｗ１，Ｂ１における鍵タッチ感も、低音から高音へ向かうに従って徐々に軽くなっている。ただし、音域によって鍵の長さが異なるので、押離鍵操作位置Ｗ０，Ｂ０における鍵タッチ感と、押離鍵操作位置Ｗ１，Ｂ１における鍵タッチ感との差は、低音から高音に向かうに従って大きくなる。すなわち、押離鍵操作位置の前後方向の違いによる鍵タッチ感の違いは、低音部Ｌにおいて小さく、中音部Ｍにおいて中程度であり、高音部Ｈにおいて大きい。
【００２３】
白鍵１１ｗ及び黒鍵１１ｂの離鍵時には、ハンマー１６ｗ及びハンマー１６ｂは、自重により、前端部が上方へ変位する。このとき、脚部Ｆｗ２及び脚部Ｆｂ２により駆動部１１ｗ１及び駆動部１１ｂ１がそれぞれ上方へ付勢され、白鍵１１ｗ及び黒鍵１１ｂの前端部はそれぞれ上方へ変位する。一方、白鍵１１ｗ及び黒鍵１１ｂの押鍵時には、駆動部１１ｗ１及び駆動部１１ｂ１の下端面が脚部Ｆｗ２及び脚部Ｆｂ２の上面をそれぞれ押圧し、ハンマー１６ｗ及びハンマー１６ｂの前端部がそれぞれ下方へ変位する。
【００２４】
また、隣り合うリブ１２ｄの前端部を繋ぐようにして、レール部１９が左右方向に延設されている。レール部１９の前後方向の幅は、前板１２ａ及び後板１２ｂの前後方向の幅に比べて狭い。レール部１９の上面から上方に突出するようにして、白鍵１１ｗの揺動をガイドするための鍵ガイド１９ｗが形成されている。鍵ガイド１９ｗは、白鍵１１ｗに下方から侵入しており、押離鍵時に鍵ガイド１９ｗの側面と白鍵１１ｗの側壁の内側の面が摺接するようになっている。これにより、押離鍵時の白鍵１１ｗの左右方向の微少な変位を抑制している。
【００２５】
また、隣り合うリブ１２ｄの上端部であって、黒鍵１１ｂの見え掛り部の前端部の下方に位置する部分を繋ぐようにして、レール部２１が左右方向に延設されている。レール部２１の前後方向の幅は、前板１２ａ及び後板１２ｂの前後方向の幅に比べて狭い。レール部２１の上面から上方に突出するようにして、黒鍵１１ｂの揺動をガイドするための鍵ガイド２１ｂが形成されている。鍵ガイド２１ｂは、黒鍵１１ｂに下方から侵入しており、押離鍵時に鍵ガイド２１ｂの側面と黒鍵１１ｂの側壁の内側の面が摺接するようになっている。これにより、押離鍵時の黒鍵１１ｂの左右方向の微少な変位を抑制している。
【００２６】
また、各リブ１２ｄの中間部には、上端から下方へ向かって方形状に切り欠いた、切り欠き１２ｄ１が設けられている。この切り欠き１２ｄ１を一体成型により形成するために、切り欠き１２ｄ１の上方に位置する前板１２ａの中間部には、上面から下面に貫通した方形状の貫通孔が設けられている。そして、前板１２ａの下面には、フエルトなどの衝撃吸収材によって構成した長尺状の下限ストッパ２２が、リブ１２ｄの切り欠き１２ｄ１を通って、左右方向に延設されて固着されている。この下限ストッパ２２は、押鍵時にハンマー１６ｗ及びハンマー１６ｂの後部に当接して、ハンマー１６ｗ及びハンマー１６ｂの後端部の上方への変位を規制することにより、白鍵１１ｗ及び黒鍵１１ｂの前端部の下方への変位を規制する。また、フレームＦＲの後部には、フエルトなどの衝撃吸収材によって構成した上限ストッパ２３が、固着されている。離鍵時において、質量体１６ｗ３及び質量体１６ｂ３の下面に当接して、ハンマー１６ｗ及びハンマー１６ｂの後端部の下方への変位を規制することにより、白鍵１１ｗ及び黒鍵１１ｂの前端部の上方への変位を規制する。
【００２７】
また、白鍵１１ｗ及び黒鍵１１ｂの中間部の下面には、スイッチ駆動部２４が設けられている。スイッチ駆動部２４は、基板２５上に配置されたスイッチＳＷの上面に当接している。スイッチＳＷは、鍵ごとに設けられ、各鍵の揺動に伴って押圧されて、各鍵の押離鍵状態を検出する。また、基板２５には、上面から下面に貫通した貫通孔が設けられている。この貫通孔の位置は、前板１２ａの上面に一体的に形成されたボス２６の位置に対応している。この貫通孔にねじを通してボス２６にねじ込むことにより、基板２５が、鍵フレーム１２に固定される。
【００２８】
また、リブ１２ｄとレール部１７の接続部には、ボス２７が形成されている。電子楽器のフレームＦＲに貫通孔を設けておいて、この貫通孔にねじを下方から通して、ボス２７にねじ込むことにより、この鍵盤装置が電子楽器のフレームＦＲに固定される。
【００２９】
上記のように構成した本発明の第１実施形態においては、低音部Ｌの白鍵１１ｗ及び黒鍵１１ｂをそれぞれ中音部Ｍの白鍵１１ｗ及び黒鍵１１ｂよりも長くし、高音部Ｈの白鍵１１ｗ及び黒鍵１１ｂをそれぞれ中音部Ｍの１１ｗ及び黒鍵１１ｂよりも短くした。また、質量体の質量を調整して、低音から高音へ向かうに従って鍵の前端の鍵タッチ感が軽くなるようにした。したがって、低音部Ｌにおいては、鍵の長手方向の鍵タッチ感の違いを小さくできる。このように、鍵タッチ感が比較的重い低音部Ｌにおいては、鍵の長手方向の鍵タッチ感の違いを小さくしたので、鍵の前端よりやや鍵の支点側にある位置（例えば、鍵の中間部より後方の部分）を押離鍵操作したときの鍵タッチ感が重すぎて演奏し難くなることを防止できる。また、中音部Ｍにおける鍵の長手方向の鍵タッチ感の違いは、低音部Ｌにおける鍵の長手方向の鍵タッチ感の違いに比べてやや大きい。また、高音部Ｈの鍵における鍵の長手方向の鍵タッチ感の違いは、中音部Ｍにおける鍵の長手方向の鍵タッチ感の違いに比べてやや大きい。しかし、質量体の質量を調整して前端部の鍵タッチ感を比較的軽くした中音部Ｍ及び高音部Ｈにおいては、鍵の長手方向の鍵タッチ感の違いが多少大きくても演奏上問題がない。したがって、低音部Ｌ及び高音部Ｈの後方にスペースを設けることができる。すなわち、電子楽器において鍵盤装置が占有する領域を小さくすることができる。そして、前記スペースに電子楽器を構成する他の部品（電源トランス、スピーカーなど）を配置することができ、電子楽器の本体内部の限られた空間を効率的に利用できる。
【００３０】
（第２実施形態）
以下、本発明の第２実施形態について図面を用いて説明する。第２実施形態は、図６に示すように、低音部Ｌの白鍵１１ｗ及び黒鍵１１ｂをそれぞれ中音部Ｍの白鍵１１ｗ及び黒鍵１１ｂより短くし、高音部Ｈの白鍵１１ｗ及び黒鍵１１ｂをそれぞれ中音部Ｍの白鍵１１ｗ及び黒鍵１１ｂより短くしている。低音部Ｌの白鍵１１ｗ及び黒鍵１１ｂは、それぞれ高音部Ｈの白鍵１１ｗ及び黒鍵１１ｂよりも長い。すなわち、鍵の長さに関して、第１実施形態の中音部Ｍと低音部Ｌを入れ替えた構成である。また、第２実施形態においても、鍵の後端位置に沿うように、鍵フレーム１２の後端を形成している。また、第１実施形態と同様に、質量体の質量を調整して、低音部側から高音部側へ向かうに従って鍵タッチ感が徐々に軽くなるようにしている。他の構成は、第１実施形態と同様であるので、説明を省略する。なお、低音部Ｌの白鍵１１ｗ及び黒鍵１１ｂをそれぞれ高音部Ｈの白鍵１１ｗ及び黒鍵１１ｂと同じ長さにしてもよいし、それぞれ高音部Ｈの白鍵１１ｗ及び黒鍵１１ｂよりも短くしてもよい。
【００３１】
上記のように構成した本発明の第２実施形態においては、低音部Ｌの白鍵１１ｗ及び黒鍵１１ｂをそれぞれ中音部Ｍの１１ｗ及び黒鍵１１ｂよりも短くし、高音部Ｈの白鍵１１ｗ及び黒鍵１１ｂをそれぞれ中音部Ｍの１１ｗ及び黒鍵１１ｂよりも短くした。したがって、低音部Ｌにおける鍵の長手方向の鍵タッチ感の違いは、中音部Ｍにおける鍵の長手方向の鍵タッチ感の違いよりも大きい。また、高音部Ｈにおける鍵の長手方向の鍵タッチ感の違いは、中音部Ｍにおける鍵の長手方向の鍵タッチ感の違いよりも大きい。すなわち、本実施形態においては、一般的に多用される中音部Ｍの鍵の長手方向の鍵タッチ感の違いを低音部Ｌ及び高音部Ｈの鍵の長手方向の鍵タッチ感の違いに比べて小さくした。したがって、実質上、第１実施形態に比べて演奏し易い鍵盤装置を構成できる。また、低音部Ｌ及び高音部Ｈの後方にスペースを設けることができるので、電子楽器において、鍵盤装置以外の他の部品を配置することができる。特に、前記他の部品を左右対称に配置することができる。例えば、スピーカを左右対称に配置すれば、ステレオ再生可能な電子楽器であって、前後方向の幅の小さな電子楽器を実現できる。
【００３２】
さらに、本発明の実施にあたっては、上記実施形態に限定されるものではなく、本発明の目的を逸脱しない限りにおいて種々の変更が可能である。
【００３３】
上記第１実施形態及び第２実施形態においては、全体の音域を低音部Ｌ、中音部Ｍ及び高音部Ｈに分割したが、分割数をさらに多くして、分割した音域ごとに鍵の長さを設定してもよい。例えば、図７に示すように、音域全体を７つの音域に分割して、分割した音域ごとに白鍵１１ｗ及び黒鍵１１ｂの長さを設定してもよい。すなわち、第１低音部Ｌ１、第２低音部Ｌ２、第１中音部Ｍ１、第２中音部Ｍ２、第３中音部Ｍ３、第１高音部Ｈ１及び第２高音部Ｈ２に分割し、低音側の音域から高音側の音域へ向かうに従って、前記分割した音域ごとに、白鍵１１ｗ及び黒鍵１１ｂの長さをそれぞれ段階的に短くしてもよい。なお、白鍵１１ｗ（Ａ０）、黒鍵１１ｂ（Ａ＃０）及び白鍵１１ｗ（Ｂ０）は、第１低音部Ｌ１に含まれている。また、図８に示すように、前記分割した音域のうち、中央の白鍵１１ｗ（Ｃ４）を含む第２中音部Ｍ２に属する鍵の長さを最も長くし、第２中音部Ｍ２から高音側及び低音側へ向かうに従って、白鍵１１ｗ及び黒鍵１１ｂの長さを、前記分割した音域ごとに短くしてもよい。また、図７及び図８の例よりも前記分割数をさらに多くしてもよく、低音側の鍵から高音側の鍵へ向かうに従って、白鍵１１ｗ及び黒鍵１１ｂの長さを、それぞれ鍵ごとに徐々に短くしてもよい。また、白鍵１１ｗ（Ｃ４）及び黒鍵１１ｂ（Ｃ＃４）を最も長くし、白鍵１１ｗ（Ｃ４）及び黒鍵１１ｂ（Ｃ＃４）から高音側の鍵及び低音側の鍵へ向かうに従って、白鍵１１ｗ及び黒鍵１１ｂの長さを、それぞれ鍵ごとに徐々に短くしてもよい。
【００３４】
また、上記第１実施形態、第２実施形態及びそれらの変形例においては、全ての白鍵１１ｗ及び黒鍵１１ｂにおいて、貫通孔Ｋｗ及び貫通孔Ｋｂから鍵の後端までの距離を同一としたが、次に説明するように、鍵のねじり剛性を高めるために、長い鍵ほど、貫通孔Ｋｗ及び貫通孔Ｋｂから鍵の後端までの距離が大きくなるように、貫通孔Ｋｗ及び貫通孔Ｋｂを設ける位置を設定してもよい。押離鍵操作位置が鍵の左端部又は右端部であると、鍵の長手方向の軸回りにねじれが生じる。このねじれの量は、鍵の支点から前記押離鍵操作位置までの距離が大きいほど大きくなる。すなわち、鍵が長いほど、大きなねじれが発生する可能性がある。したがって、上記のように、長い鍵ほど貫通孔Ｋｗ及び貫通孔Ｋｂより後方の部分を長くすることにより、長い鍵ほどねじり剛性を高めることができ、大きなねじれの発生を防止できる。なお、一部の音域においてのみ鍵の長さに応じて貫通孔Ｋｗ及び貫通孔Ｋｂを設ける位置を決定し、他の音域においては、鍵の長さに関係なく、鍵の後端からの距離が同一となるように貫通孔Ｋｗ及び貫通孔Ｋｂをそれぞれ設けてもよい。
【００３５】
また、上記第１実施形態、第２実施形態及びそれらの変形例においては、ハンマー１６ｗ及びハンマー１６ｂによって、それぞれ白鍵１１ｗ及び黒鍵１１ｂの前端側を上方へ付勢するようにした。しかし、ハンマー１６ｗ及びハンマー１６ｂに代えて、バネによって白鍵１１ｗ及び黒鍵１１ｂの前端を上方へ付勢してもよい。この場合、鍵ごとに、バネ定数及び離鍵状態におけるバネの付勢力を調整して、低音部Ｌから高音部Ｈに向かうに従って鍵タッチ感を軽くすればよい。なお、この場合、動荷重は、全ての鍵についてほぼ同一であり、静荷重は、低音側の鍵から高音側の鍵へ向かうに従って徐々に軽くなっている。また、ハンマーとバネを併用してもよい。
【符号の説明】
【００３７】
１１ｗ・・・白鍵、１１ｂ・・・黒鍵、１１ｗ１，１１ｂ１・・・駆動部、１２・・・鍵フレーム、１３・・・鍵支持部、１６ｗ，１６ｂ・・・ハンマー、１６ｗ１，１６ｂ１・・・基部、１６ｗ２，１６ｂ２・・・連結棒、１６ｗ３，１６ｂ３・・・質量体、１８ｗ，１８ｂ・・・ハンマー支持部、Ｐｗ１，Ｐｂ１・・・当接部、ＦＲ・・・フレーム、Ｌ・・・低音部、Ｍ・・・中音部、Ｈ・・・高音部
【図１】
0005970759.tif 000002
【図２】
0005970759.tif 000003
【図３】
0005970759.tif 000004
【図４】
0005970759.tif 000005
【図５】
0005970759.tif 000006
【図６】
0005970759.tif 000007
【図７】
0005970759.tif 000008
【図８】
0005970759.tif 000009